(57)【要約】【課題】強度、断熱性、遮音性に優れた壁面構成物を、間伐材等の小径木を加工した壁面部材の組み合わせにより製作し、間伐材の利用の促進を図ることを課題とする。【解決手段】円柱状の一定長さの小径木から形成される断面Ｔ字形の壁面部材１が、基礎部材５上にその突出部３の突出方向が１段ごと逆向きに、かつ下段の突出部３上端面と上段の基部２底面とが同じ面内となるように順次、所要段数鉄筋６に挿通され、壁面部材１の１段ごとの積み重ねの際に生じる上下の各壁面部材１の空間に充填部材７を充填し、鉄筋６にナット８を螺合して全体を連結した。【選択図】図６
2006104737.tif 000002
【特許請求の範囲】
【請求項１】
一定長さの円柱状の小径木を長さ方向に半分に分割した分割小径木を加工してなる壁面部材において、前記分割小径木の断面形状が、分割面を底面とする所要厚さの基部と、前記基部の中央から垂直に突出した突出部とからなるＴ字形に加工され、前記基部の厚さが前記突出部の高さの半分より小さく形成され、前記基部底面を基準とした前記突出部上端面の高さの中間点において前記突出部に所要数の貫通穴がその厚さ方向に設けられたことを特徴とする壁面部材。
【請求項２】
基礎部材に棒状連結部材を立て、壁面部材に設けた貫通穴を前記棒状連結部材に順次挿通させながら前記壁面部材を前記基礎部材上に所要段数積重ね、前記棒状連結部材と所要の締結具とにより壁面部材全体を連結固定してなる壁面構造物において、前記壁面部材として請求項１に記載の小径木からなる壁面部材を使用し、その壁面部材をその基部底面が垂直、突出部が水平になる姿勢に配置するとともに、下段の突出部側面上に上段の基部側面が乗り、突出部の突出方向が一段ごとに逆向きに、かつ下段の突出部上端面と上段の基部底面とが同じ面内に属するように上下に揃えて積み重ね、１段ごとの積み重ねの際に生じる上下の壁面部材間の空間に壁土等の充填部材を充填したことを特徴とする壁面構造物。
【請求項３】
前記棒状連結部材が、鉄筋と、前記鉄筋が所要のすき間をもって挿通されるアルミ製のパイプとからなることを特徴とする請求項２に記載の壁面構造物。
【請求項４】
前記壁面部材がその長さ方向に各段ごとに複数本突き合せて配置され、かつ１段づつ当該壁面部材の長さの半分の距離をずらせることにより、各壁面部材を全体として千鳥状に配置したことを特徴とする請求項２又は３に記載の壁面構造物。
【発明の詳細な説明】
【技術分野】
【０００１】
この発明は、間伐材等の小径木からなる壁面部材とこれを用いた壁面構造物に関するものである。
【背景技術】
【０００２】
近年、人工林の保護、林業の振興のため、間伐の必要性が強調され、間伐により伐採された間伐材の利用促進が重要な課題となっている。間伐材等の利用促進を図るために、出願人は、間伐材等の小径木を利用した建材に関する特許出願を既に行った（特許文献１）。この特許出願にかかる建材は、一定長さの円柱状の間伐材をその断面形状が階段部分を有する基本部材に加工し、この基本部材がその階段部分の向きを各段ごとに順次反転させながら互いに突き合わされ、幅方向に配列された集合体を形成し、この基本部材の集合体を鉄筋等により互いに結合させたものであり、壁面構造物等として利用される。
【０００３】
前記建材は、幅方向に結合された各基本部材の突き合わせ面が、各基本部材の階段部分を相互に突き合わせたものであり、基本部材の集合体全体として、各基本部材間のすき間が小さくなり、製材誤差や温湿度の変化による細りの影響を受けにくいため、断熱性、遮音性に優れた建材が得られる。また、前記建材は、間伐材等の小径木を加工した基本部材の組み合わせにより構成されるものであるため、間伐材等の利用を促進することが可能である。
【特許文献１】特開２００４−９３７０号公報
【発明の開示】
【発明が解決しようとする課題】
【０００４】
しかし、前記特許文献１の建材は、前述のように基本部材は間伐材等の小径木からなり、その基本部材のみが鉄筋等により互いに結合され、基本となる部材がすべて木製であるため、建材としての強度が不十分であった。また、基本部材が温湿度の変化により膨張、収縮するため、各基本部材間にすき間が発生しやすい問題があり、建材としての断熱性、遮音性に改良の余地があった。
【０００５】
そこで、この発明は、強度、断熱性、遮音性に優れた壁面構成物に適した壁面部材を提供すること及びその壁面部材を用いて構成した強度、断熱性、遮音性に優れた壁面構成物を提供することを課題とする。
【課題を解決するための手段】
【０００６】
前記の課題を解決するために、この発明にかかる壁面部材は、一定長さの円柱状の小径木を長さ方向に半分に分割した分割小径木を加工してなる壁面部材において、前記分割小径木の断面形状が、分割面を底面とする所要厚さの基部と、前記基部の中央から垂直に突出した突出部とからなるＴ字形に加工され、前記基部の厚さが前記突出部の高さの半分より小さく形成され、前記基部底面を基準とした前記突出部上端面の高さの中間点において前記突出部に所要数の貫通穴がその厚さ方向に設けられたものとしたのである。
【０００７】
また、この発明にかかる壁面構造物は、基礎部材に棒状連結部材を立て、壁面部材に設けた貫通穴を前記棒状連結部材に順次挿通させながら前記壁面部材を前記基礎部材上に所要段数積重ね、前記棒状連結部材と所要の締結具とにより壁面部材全体を連結固定してなる壁面構造物において、前記壁面部材として請求項１に記載の小径木からなる壁面部材を使用し、その壁面部材をその基部底面が垂直、突出部が水平になる姿勢に配置するとともに、下段の突出部側面上に上段の基部側面が乗り、突出部の突出方向が一段ごとに逆向きに、かつ下段の突出部上端面と上段の基部底面とが同じ面内に属するように上下に揃えて積み重ね、１段ごとの積み重ねの際に生じる上下の壁面部材間の空間に壁土等の充填部材を充填した構成としたのである。
【０００８】
さらに、前記棒状連結部材が、鉄筋と、前記鉄筋が所要のすき間をもって挿通されるアルミ製のパイプとからなる構成を採用することもできる。
【０００９】
また、壁面構造物の構成として、前記壁面部材がその長さ方向に各段ごとに複数本突き合せて配置され、かつ１段づつ該壁面部材の長さの半分の距離をずらせることにより、各壁面部材を全体として千鳥状に配置した構成を採用することもできる。
【発明の効果】
【００１０】
以上のように、この発明に係る壁面部材は、基部の中央から垂直に突出した突出部とからなるＴ字形に加工され、前記基部の厚さが前記突出部の高さの半分より小さく形成されているので、その基部底面が垂直、突出部が水平になる姿勢に配置するとともに、下段の突出部側面上に上段の基部側面を乗せ、突出部の突出方向が一段ごとに逆向きに、かつ下段の突出部上端面と上段の基部底面とが同じ面内に属するように上下に揃えて積み重ねた場合に、上下の壁面部材間に一定の空間が生じる。その空間に所望の充填材を充填することにより、木材と充填部材との組み合わせからなり、すき間の発生し難い壁面構造物を製作することができる。
【００１１】
また、この発明に係る壁面構造物は、前記の壁面部材を用いて構成され、上下の壁面部材間に一定間隔の空間が形成され、その空間に壁土、パテ等の充填部材を充填しているので、木製の壁面部材と充填を組み合わせた構成となる。このため、木製の壁面部材のみにより構成された場合と比較して、強度の優れた壁面構造物が得られる。
【００１２】
また、前記のように、充填部材が上下の壁面部材間の空間に充填され、この充填部材が壁面部材の一部に密着するため、その壁面部材の一部と空気との接触が避けられ、またこれによってすき間が閉塞される。これにより、壁面部材が温湿度の変化による膨張、収縮の影響を受けにくくなり、各壁面部材間のすき間も小さくなるため、断熱性、遮音性に優れた壁面構造物が得られる。
【００１３】
その結果、間伐材等の小径木を利用した、強度、断熱性、防音性に優れた壁面構造物を提供することができ、間伐材の利用の促進を図ることが可能となる。
【発明を実施するための最良の形態】
【００１４】
以下、添付図面に基づいてこの発明の最良の実施形態を説明する。
【００１５】
この発明の壁面部材に関する実施形態は、図１に示すように、一定長さＬの円柱状の小径木１０を長さ方向に半分に分割した分割小径木１１、１１を加工したものである。この分割小径木１１から形成される壁面部材１は、図２（ａ）に示すように、断面形状が分割小径木１１の分割面１２をの大部分を底面１６とする一定厚さａの基部２と、その基部２の中央から垂直に突出した高さｂの突出部３とからなるＴ字形に加工されたものである。基部２の厚さａは、突出部３の高さｂの半分以下となるように形成され、基部２上面と突出部３上端面１７が、分割面１２（底面１６）と平行となるように形成されると共に、基部２と突出部３の側面１８が分割面１２と垂直となるように形成される。なお、図３に示すように、前記壁面部材１は、その基部２の底面１６が垂直、突出部３の側面１８が水平になる姿勢に配置して用いられる。
【００１６】
前述のように壁面部材１の基部２の厚さａを、突出部３の高さｂの半分以下に形成したのは、図２（ｂ）に示すように、壁面部材１の突出部３の側面１８上に壁面部材１の基部２の側面１９を突き合わせ、かつ下段の突出部２の上端面１７と上段の基部２の底面１６とを同じ面内となるように上下に揃えて積み重ねた際に、上下段の壁面部材１の間にその基部２および突出部３に囲まれた一定間隔ｄの空間１３を形成するためである。
【００１７】
また、前記底面１６を基準とした突出部３上端面１７の高さｃの中間点において、突出部３に貫通穴４がその厚さ方向に設けられる。図４の一点鎖線で示すように、この貫通穴４は、前記壁面部材１の両端面から距離ｅだけ内側の位置と、壁面部材１の中央線２０を挟んで両側に距離ｅだけ離れた位置とに計４箇所設けられる。
【００１８】
このように壁面部材１の所定の位置に貫通穴４を設けたのは、複数本の壁面部材１を相互の端面を突き合わせて長さ方向に配列した場合、各壁面部材１の端面を挟んで両側に距離ｅだけ離れた位置にある一対の貫通穴４を、壁面部材１の半分の長さＬ／２間隔ごとに配置するためである。この一対の貫通穴４の配置により、後述の実施形態のように、壁面部材１が千鳥状に組み合わされた壁面構造物を構成することが可能となる。
【００１９】
後述の壁面構造物は、主に前記壁面部材１を組み合わせて構成されるが、その補助部材として、図５に示すように、壁面部材１の基部２の一部が突出部３の一方の側面に沿う面で切断された、断面Ｌ字形の壁面端部材１ａが用いられる。この壁面端部材１ａの突出部３にも前記壁面部材１と同様に貫通穴４が設けられる。
【００２０】
次に、図６から図９に基づいて、壁面構造物に関する実施形態１を説明する。
【００２１】
実施形態１の壁面構造物は、図６、図７に示すように、前記壁面部材１とその上下端に前記壁面端部材１ａとを組み合わせて構成したものである。
【００２２】
この壁面構造物は、コンクリート等の基礎部材５に鉄筋６が固定され、基礎部材５の上面と、前記壁面端部材１ａの突出部３側面が接するように、壁面端部材１ａがその貫通穴４を鉄筋６に挿通される。その壁面端部材１ａ上に壁面部材１がその突出部３の突出方向が一段ごとに逆向きに、かつ下段の突出部３上端面と上段の基部２底面とが同じ面内となるように所要段数順次鉄筋６に挿通される。最上段の壁面部材１の突出部３側面上に、壁面端部材１ａの基部２側面が乗るように、壁面端部材１ａがその貫通穴４を鉄筋６に挿通する。また、壁面部材１と壁面端部材１ａの１段ごとの積み重ねの際に生じる上下の壁面部材１と壁面端部材１ａ間の空間に壁土、パテ等の充填部材７を充填し、鉄筋６にナット８を螺合して全体を連結した構成である。
【００２３】
前記の壁面構造物の組み立て手順を図８、図９に基づいて、説明する。図８に示すように、コンクリート等の基礎部材５に鉄筋６を立て、この鉄筋６の下端部にナット８を螺合し基礎部材５に鉄筋６が固定される。基礎部材５の上面と、前記壁面端部材１ａの突出部３側面が接するように、壁面端部材１ａがその貫通穴４を鉄筋６に挿通される。壁面端部材１ａの突出部３側面１８上に前記壁面部材１の基部２側面１９が乗るように、壁面部材１がその貫通穴４を鉄筋６に挿通される。壁面部材１と壁面端部材１ａとの間に形成される空間（図２ａ、空間１３参照）に壁土、パテ等の充填部材７が鉄筋６を避けて充填される。
【００２４】
次に、下段の壁面部材１の突出部３側面１８上に上段の壁面部材１の基部２側面１９が乗るように１段ごとに逆向きに、壁面部材１がその貫通穴４を鉄筋６に挿通される。また、下段の突出部３上端面１７と上段の基部２底面１６とが同じ面内に属するように、壁面部材１が上下方向に揃えて所要段数積み重ねられる。壁面部材１を１段ごとに積み重ねる際に生じる上下段の壁面部材１間の空間に上記の場合と同様に、壁土、パテ等の充填部材７が鉄筋６を避けて充填される。
【００２５】
また、所要段数積み重ねられた最上段の壁面部材１の突出部３側面１８上に、壁面端部材１ａの基部２側面１８が乗るように、壁面端部材１ａがその貫通穴４を鉄筋６に挿通される。最上段の壁面部材１と壁面端部材１ａとの間に形成される空間にも壁土、パテ等の充填部材７が鉄筋６を避けて充填される。この鉄筋６の上端にナット８を螺合することにより各壁面部材１および各壁面端部材１ａが相互に連結される。
【００２６】
以上のように構成される実施形態１の壁面構造物は、長さＬ、前記突出部３上端面の高さｃに相当する厚さｃの壁面構造物として仕上がる（図６、図７参照）。また、壁面構造物を構成する上下の各壁面部材１間に充填された充填部材７が壁面部材１の一部に密着しているため、その壁面部材１の一部と空気との接触が避けられるとともに、すき間の発生が防止される。これにより、壁面部材１が温湿度の変化による膨張、収縮の影響を受けにくくなり、各壁面部材１間のすき間が閉塞されるため、断熱性、遮音性に優れた壁面構造物が得られる。
【００２７】
また、上下の壁面部材１間の空間に壁土等の充填部材７が充填され、この充填部材７と木製の壁面部材１および壁面端部材１ａとを組み合わせた構成となるため、木製の壁面部材１のみにより構成された場合と比較して、強度の優れた壁面構造物が得られる。
【００２８】
次に、図１０から図１１に基づいて、壁面構造物に関する実施形態２を説明する。
【００２９】
実施形態２の壁面構造物も、前述の壁面部材１および壁面端部材１ａを用いるが、この場合、壁面部材１と壁面端部材１ａには、一定長さＬのものと、その半分の長さＬ／２のものを用いる。実施形態２の壁面構造物の上下方向の配列は、実施形態１の壁面構造物の場合と同様である。
【００３０】
その長さ方向の配列は、一定長さＬの壁面部材１および壁面端部材１ａが長さ方向にその端面を突き合せて所要本数配列されたものである。各段ごとに壁面部材１がその端面を所要本数突き合わせて配列され、その配列された一端に長さＬ／２の壁面部材１がその端面を突き合せたものである。１段ごとに一端に配置された長さＬ／２の壁面部材１が、長さ方向に配列された各壁面部材１の右端、左端となるように交互に配置され、１段づつ各壁面部材１の突き合わせ面が、壁面部材１および壁面端部材１ａの長さＬの半分の距離Ｌ／２ずらしたものとなる（図９参照）。
【００３１】
また、前述のように、長さ方向に配列された壁面部材１には、互いに距離ｅだけ離れた一対の貫通穴４が、壁面部材１の半分の長さＬ／２の距離ごとに設けられている（図４参照）。各段ごとに壁面部材１の突き合わせ面を、壁面部材１の長さＬの半分の距離Ｌ／２ずらし、壁面部材１の貫通穴４を揃える。これにより、長さ方向に配列された壁面部材１および壁面端部材１ａがその貫通穴４を鉄筋６に挿通することができ、各壁面部材１および各壁面端部材１ａが全体として千鳥状に配置されたものとなり、壁面構造物を所望の長さにすることができる。
【００３２】
次に、図１２から図１３に基づいて、壁面構造物に関する実施形態３を説明する。
【００３３】
図１２に示す実施形態３の壁面構造物は、前述の実施形態１の壁面構造物に用いられる鉄筋６の代わりに、アルミ製のパイプ９とそのパイプ９を被せた鉄筋６´を用いたものである。このパイプ９は、その外径が前記鉄筋６の直径と同じものであり、この実施形態３の壁面構造物に用いられる鉄筋６´の直径がパイプ９の内径よりもやや小さい。基礎部材５に立てた鉄筋６´にアルミ製のパイプ９を被せ、このパイプ９に壁面部材１および壁面端部材１ａがその貫通穴４を挿通させたものである。これによると、鉄筋６´とパイプ９との間にすき間が形成され、温湿度の変化による壁面部材１の膨張を、パイプ９がそのすき間の範囲内で弾性変形することで吸収することができる。
【００３４】
また、最上段の壁面部材１に設けられた貫通穴４とパイプ９とのすき間に楔片１４が打ち込むことが望ましい。この楔片１４は、木ねじ等をその頭部の一部をパイプ９外周に沿って切除したものである（図１４参照）。この楔片１４が打ち込まれることにより、パイプ９が壁面部材１を押し付けながら、壁面部材１に固定されるため、壁面部材１の貫通穴４とパイプ９とのすき間を小さくすることができる。その他の構成は実施形態１と同様である。
【００３５】
この構成にすると、壁面部材１および壁面端部材１ａの温湿度の変化による膨張、収縮を吸収することができる。
【００３６】
なお、以上の実施形態の壁面構成物は、前記壁面端部材１ａを使用したものであるが、図１５に示すように、壁面端部材１ａを用いず、前記壁面部材１のみを用いることができる。この場合の壁面構造物は、前記基礎部材５に突起部１５を設けて、この突起部１５の上に、壁面部材１を積み重ね、最上段の壁面部材１の突出部３側面上でナット８を螺合したものとなる。
【００３７】
以上のように、間伐材等の小径木を利用した、強度、断熱性、遮音性に優れた壁面構造物を提供することができ、間伐材の利用の促進を図ることが可能となる。
【図面の簡単な説明】
【００３８】
【図１】小径木の一部省略斜視図
【図２】（ａ）小径木と壁面部材の関係を表す断面図、（ｂ）各壁面部材の積み重ね状態の関係を表す側面図
【図３】壁面部材の斜視図
【図４】同上の上面図
【図５】壁面端部材の斜視図
【図６】実施形態１の壁面構成物の一部切り欠き側面図
【図７】実施形態１の壁面構成物の一部切り欠き正面図
【図８】同上の壁面構成物の積み重ね途中の一部切り欠き斜視図
【図９】同上の壁面構成物の一部切り欠き斜視図
【図１０】実施形態２の壁面構成物の組み立て説明図
【図１１】同上の一部切り欠き正面図
【図１２】実施形態３の壁面構成物の一部切り欠き斜視図
【図１３】同上の拡大断面図
【図１４】楔片の拡大斜視図
【図１５】壁面端部材を使用しない場合の壁面構成物の側面図
【符号の説明】
【００３９】
１  壁面部材
２  基部
３  突出部
４  貫通穴
５  基礎部材
６  鉄筋
６´  鉄筋
７  充填部材
８  ナット
９  パイプ
１０  小径木
１１  分割小径木
１２  分割面
１３  空間
１４  楔片
１５  突起部
１６  底面
１７  上端面
１８  側面
１９  側面
２０  中央線
【図１】
2006104737.tif 000003
【図２】
2006104737.tif 000004
【図３】
2006104737.tif 000005
【図４】
2006104737.tif 000006
【図５】
2006104737.tif 000007
【図６】
2006104737.tif 000008
【図７】
2006104737.tif 000009
【図８】
2006104737.tif 000010
【図９】
2006104737.tif 000011
【図１０】
2006104737.tif 000012
【図１１】
2006104737.tif 000013
【図１２】
2006104737.tif 000014
【図１３】
2006104737.tif 000015
【図１４】
2006104737.tif 000016
【図１５】
2006104737.tif 000017